(57)【要約】【課題】カウントアップタイマ動作中において、オートパワーオフしないようにすること。【解決手段】電源保持構成を有し、操作手段８の最終操作から第１所定時間経過後に、電源リレー５を開とした後、操作手段８の操作受け付けの禁止及び表示手段７の表示を停止するオートパワーオフ回路１２を備え、カウントアップタイマ９のカウントアップ動作中には、オートパワーオフ回路１２による電源リレー５の開を禁止し、操作手段８の操作受け付けを許可し、表示手段７の表示を停止せずに、カウントアップ動作中でオートパワーオフ回路１２が働かないようにして、計時したい時間よりも先にオートパワーオフが働いて計時が停止する不具合を解消することが可能となる。【選択図】図１
2011012840.tif 000002
【特許請求の範囲】
【請求項１】
被加熱物を加熱する加熱部と、前記加熱部への出力を制御する制御手段と、前記制御手段に制御電源を供給する電源回路と、一端を前記加熱部へ接続し他端を交流電源に接続し、閉とすることで前記加熱部と前記交流電源との接続を行い、開とすることで前記加熱部との接続を遮断する電源リレーと、一端を前記電源回路へ接続し他端を前記交流電源に接続し、閉とすることで前記電源回路と前記交流電源との接続が行なわれ、開とすることで前記電源回路との接続が遮断される電源スイッチと、前記電源スイッチに並列に接続された電源回路スイッチと、操作が行なわれる操作手段と、表示を行う表示手段と、前記電源回路スイッチが閉状態で前記操作手段によりカウント開始命令を入力してからの経過時間を前記表示手段に表示させるカウントアップタイマを備え、前記制御手段は、前記電源スイッチが押され閉となり、前記電源回路から前記制御電源が供給されると、前記制御手段からの制御信号をオートパワーオフ回路を介して前記電源回路スイッチに出力し、前記電源スイッチが開となる状態であっても、前記電源回路スイッチを閉とする電源保持構成を有し、前記操作手段の最終操作から第１所定時間経過後に、前記電源リレーを開とした後、前記操作手段の操作受け付けの禁止及び前記表示手段の表示を停止する前記オートパワーオフ回路を備え、前記制御手段は、前記カウントアップタイマのカウントアップ動作中には、前記オートパワーオフ回路による前記電源リレーの開を禁止し、前記操作手段の操作受け付けを許可し、前記表示手段の表示を停止しないようにした加熱調理器。
【請求項２】
カウントアップタイマは、測定時間に上限値を設けるようにした請求項１に記載の加熱調理器。
【請求項３】
制御手段は、カウントアップタイマの測定時間が上限値に到達するとその時点から第２所定時間経過後に電源リレーを開とし、前記第２所定時間は第１所定時間よりも短く設定するようにした請求項２に記載の加熱調理器。
【請求項４】
制御手段は、オートパワーオフ回路を介して、カウントアップタイマの測定時間が上限値に到達し、その時点から第２所定時間経過して電源リレーが開となり、さらにその時点から第３所定時間後に電源回路スイッチを開とすることで、制御手段に供給される電源を完全に遮断するようにした請求項３に記載の加熱調理器。
【請求項５】
操作手段は、カウントアップタイマ操作部を含み、機器前面に傾斜させて出没可能な構成と出没動作を検出する開閉検知手段を有しており、制御手段は、加熱調理終了後、かつ、カウントアップタイマが動作している際に、前記操作手段を閉じると前記操作手段の前記開閉検知が動作し前記操作手段が閉じられてから第４所定時間経過後に前記カウントアップタイマ手段の停止を行うようにした請求項１〜４のいずれか１項に記載の加熱調理器。
【請求項６】
制御手段は、カウントアップタイマ動作中、操作手段の経過時間の表示においてカウントアップタイマのスタートキーを操作してから第５所定時間経過後に表示手段に流れる電流値を減少させるようにした請求項１〜５のいずれか１項に記載の加熱調理器。
【請求項７】
報知手段を備え、制御手段は、カウントアップタイマが、カウントアップ動作を開始し、上限値へ達した場合に、前記報知手段により使用者に対して上限値へ達した旨を伝える音声報知機能を有した請求項２〜４のいずれか１項に記載の加熱調理器。
【発明の詳細な説明】
【技術分野】
【０００１】
本発明は、一般家庭やレストラン及びオフィスなどで使用される加熱調理器に関するものである。
【背景技術】
【０００２】
従来、この種の加熱調理器には、オートパワーオフ機能を有しているものがある（例えば、特許文献１参照）。
【先行技術文献】
【特許文献】
【０００３】
【特許文献１】特開平０６−０５０５５１号公報
【発明の概要】
【発明が解決しようとする課題】
【０００４】
しかしながら、前記従来の構成では、最後にスイッチ操作があった時から次のスイッチ操作がない状態で、所定時間が経過したときに、オートパワーオフを行う機能はあるが、カウントアップタイマ中にオートパワーオフを遅延させる機能は有しておらず、使用者にとって、例えば加熱停止後の蒸らし時間をカウントアップタイマで測定していた場合に、カウントアップタイマ動作中にオートパワーオフが優先されてしまい、蒸らし時間が分からなくなるといった計時したい時間よりも先にオートパワーオフが働いて計時が停止する不具合を生じるという課題を有していた。
【０００５】
本発明は、前記従来の課題を解決するもので、カウントアップタイマ動作中においてもオートパワーオフ回路による電源リレーの開を禁止し、操作手段の操作受け付けを許可し、表示手段の表示を停止しない加熱調理器を提供することを目的とする。
【課題を解決するための手段】
【０００６】
前記従来の課題を解決するために、本発明の加熱調理器は、カウントアップタイマ動作中には、オートパワーオフ回路による電源リレーの開を禁止し、操作手段の操作受け付けを許可し、表示手段の表示を停止しないようにしたものである。
【０００７】
これによって、カウントアップ動作中でもオートパワーオフ回路が働かず、計時したい時間よりも先にオートパワーオフが働いて計時が停止する不具合の解消を図るものである。
【発明の効果】
【０００８】
本発明の加熱調理器は、電源保持構成を有しており、操作手段による最終操作から所定時間経過後に電源リレー及び電源回路スイッチを開とすることで、電源回路の待機電力を低減させ、さらに、カウントアップタイマ動作中において、オートパワーオフ回路による電源リレーの開を禁止し、操作手段の操作受け付けを許可し、表示手段の表示を停止しないことで、カウントアップタイマ動作中にオートパワーオフが優先されてしまうと、計時したい時間よりも先にオートパワーオフが働いて計時が停止する不具合を解消することができる。
【図面の簡単な説明】
【０００９】
【図１】本発明の実施の形態１における加熱調理器のブロック図
【図２ａ】本発明の実施の形態２における加熱調理器の（加熱動作前にカウントアップタイマを入とさせる場合の）タイミングチャート
【図２ｂ】本発明の実施の形態２における加熱調理器の（加熱動作中にカウントアップタイマを入とさせる場合の）タイミングチャート
【図２ｃ】本発明の実施の形態２における加熱調理器の（加熱動作後にカウントアップタイマを入とさせる場合の）タイミングチャート
【図３ａ】本発明の実施の形態３における加熱調理器の外観図
【図３ｂ】本発明の実施の形態３における加熱調理器のタイミングチャート
【図４】本発明の実施の形態４における加熱調理器のタイミングチャート
【図５】本発明の実施の形態５における加熱調理器のタイミングチャート
【発明を実施するための形態】
【００１０】
第１の発明は、被加熱物を加熱する加熱部と、前記加熱部への出力を制御する制御手段と、前記制御手段に制御電源を供給する電源回路と、一端を前記加熱部へ接続し他端を交流電源に接続し、閉とすることで前記加熱部と前記交流電源との接続を行い、開とすることで前記加熱部との接続を遮断する電源リレーと、一端を前記電源回路へ接続し他端を前記交流電源に接続し、閉とすることで前記電源回路と前記交流電源との接続が行なわれ、開とすることで前記電源回路との接続が遮断される電源スイッチと、前記電源スイッチに並列に接続された電源回路スイッチと、操作が行なわれる操作手段と、表示を行う表示手段と、前記電源回路スイッチが閉状態で前記操作手段によりカウント開始命令を入力してからの経過時間を前記表示手段に表示させるカウントアップタイマを備え、前記制御手段は、前記電源スイッチが押され閉となり、前記電源回路から前記制御電源が供給されると、前記制御手段からの制御信号をオートパワーオフ回路を介して前記電源回路スイッチに出力し、前記電源スイッチが開となる状態であっても、前記電源回路スイッチを閉とするような電源保持構成を有し、前記操作手段の最終操作から第１所定時間経過後に、前記電源リレーを開とした後、前記操作手段の操作受け付けの禁止及び前記表示手段の表示を停止する前記オートパワーオフ回路を備え、前記制御手段は、前記カウントアップタイマのカウントアップ動作中には、前記オートパワーオフ回路による前記電源リレーの開を禁止し、前記操作手段の操作受け付けを許可し、前記表示手段の表示を停止しないようにすることにより、カウントアップ中にオートパワーオフ回路を禁止させることで、使用者にとって、例えば加熱停止後の蒸らし時間の測定が分からなくなるといった計時したい時間よりも先にオートパワーオフが働いて計時が停止する不具合を解消することができる。
【００１１】
第２の発明は、特に、第１の発明において、カウントアップタイマの測定時間に上限値を設けるようにすることで、カウントアップタイマの切り忘れ防止機能としての効果がある。
【００１２】
第３の発明は、特に、第２の発明において、制御手段を、カウントアップタイマの測定時間が上限値に到達するとその時点から第２所定時間経過後に電源リレーを開とし、前記第２所定時間は第１所定時間よりも短く設定するようにすることで、消費電力の節約をすることができる。
【００１３】
第４の発明は、特に、第３の発明において、制御手段を、オートパワーオフ回路を介して、カウントアップタイマの測定時間が上限値に到達し、その時点から第２所定時間経過して電源リレーが開となり、さらにその時点から第３所定時間後に電源回路スイッチを開とすることで、制御手段に供給される電源を完全に遮断することで、以後無駄な電力を消費しないで済むことができる。
【００１４】
第５の発明は、特に、第１〜４のいずれか１つの発明において、操作手段は、カウントアップタイマ操作部を含み、機器前面に傾斜させて出没可能な構成と出没動作を検出する開閉検知手段を有しており、制御手段を、加熱調理終了後、かつ、カウントアップタイマ
が動作している際に、前記操作手段を閉じると前記操作手段の前記開閉検知が動作し前記操作手段が閉じられてから第４所定時間経過後に前記カウントアップタイマ手段の停止を行うようすることで、閉じられることで調理が終了したものと判断し、消費電力の節約をすることができる。
【００１５】
第６の発明は、特に、第１〜５のいずれか１つの発明において、制御手段を、カウントアップタイマ動作中、操作手段の経過時間の表示においてカウントアップタイマのスタートキーを操作してから第５所定時間経過後に表示手段に流れる電流値を減少させるようにすることで、表示手段の表示ＬＥＤやＬＣＤの輝度を減少させ、カウントアップ中の消費電力を削減することができる。
【００１６】
第７の発明は、特に、第２〜４のいずれか１つの発明において、報知手段を備え、制御手段を、カウントアップタイマが、カウントアップ動作を開始し、上限値へ達した場合に、前記報知手段により使用者に対して上限値へ達した旨を伝える音声報知機能を有することにより、誤動作によりカウントアップ機能が停止したのではないことを報知するので、使用者に故障等の不安や誤認を与えないようにすることができる。
【００１７】
以下、本発明の加熱調理器の実施の形態について誘導加熱調理器を例にして、図面を参照しながら説明する。なお、この実施の形態によって本発明が限定されるものではない。
【００１８】
（実施の形態１）
図１は、本発明の第１の実施の形態における誘導加熱調理器の構成を示すものである。
【００１９】
図１において、外郭を構成する本体１４と本体１４の上面に配置され調理容器１を載置するトッププレート２を有し、交流電源６から交流電源６をＯＮ／ＯＦＦするリレーにより構成された電源リレー５を介しインバータ回路１５へ接続される。
【００２０】
制御手段４は、交流電源６を整流回路により直流に変換された電源から高周波電流をインバータ回路１５が加熱コイル３に供給する。加熱コイル３に高周波電流が供給されると交番磁界が発生し、加熱コイル３の上方に配置された金属製の調理容器１の底面に渦電流を発生させ、渦電流によるジュール熱を利用し調理容器１を加熱することができる。
【００２１】
電源回路１３は、所定時間経過後にキー操作がない場合に電源リレー５または電源回路スイッチ１１を開とする機能を備えたオートパワーオフ回路１２により構成された制御手段４へ制御電源の供給行う。また、接触式のタクトスイッチあるいは静電容量式のタッチキーなどで構成される操作手段８により操作された信号が制御手段４を介し、表示手段７へ送られることにより操作された動作状態を表示し、さらにインバータ回路１５を介し誘導加熱を行う構成とする。
【００２２】
電源スイッチ１０は、一方が交流電源６に接続され他方が電源回路１３に接続され、閉とすることで電源回路１３に交流電源を供給し、開とすることで交流電源６を遮断する構成としている。
【００２３】
電源回路スイッチ１１は、電源スイッチ１０に並列に接続された構成としており、かつオートパワーオフ回路からの信号で開閉する機能を備える。
【００２４】
カウントアップタイマ９は、操作手段８よりカウントアップの入／切が行われると、制御手段４を介してカウントアップを開始または終了する機能を備える。
【００２５】
以上のように構成された誘導加熱調理器について、以下その動作、作用を説明する。
【００２６】
本実施の形態においては、使用者が電源スイッチ１０を閉とし、その間に電源回路１３へ交流電源６が供給され、電源回路１３から制御手段４への制御電源を供給する。その際、オートパワーオフ回路１２からの信号により電源リレー５が閉となり、合わせて電源回路スイッチ１１が閉となることで、電源スイッチ１０が開状態となっても制御手段４に電源が供給される電源保持構成を有している。使用者が操作手段８の加熱動作キーを入にすることで加熱部１６を介して調理容器１の加熱が始まり調理の開始となる、加熱を停止する際には、操作手段８の加熱動作キーを切にする。オートパワーオフ回路１２は、操作手段８の最終操作から第１所定時間経過後に、電源リレーを開とした後、操作手段８の操作受け付けの禁止及び表示手段の表示を停止する機能を有している。これは、第１所定時間経過後に操作の禁止や表示を停止することで、省電力と不用意な加熱部の動作可能性、例えば子供が故意に加熱調理器を操作するといった危険性を低減する効果がある。使用者が操作手段８によりカウントアップタイマ開始キーを押すことで、その信号を制御手段４を介し、カウントアップタイマ９の時間経過を表示手段７に表示する。このカウントアップタイマ動作中において、オートパワーオフ回路１２による電源リレー５の開を禁止し、操作手段８の操作受け付けを許可し、表示手段７の表示を停止しないようにすることで、カウントアップ動作中にオートパワーオフ回路が働かず、使用者にとって、例えば加熱停止後の蒸らし時間の測定が分からなくなるといった不具合や調理とは無関係に例えばカップラーメンの待ち時間の測定など単純に時間を測定したい場合において測定時間が途中で中断するといった不具合を解消することができる。
【００２７】
（実施の形態２）
図２（ａ）、（ｂ）、（ｃ）は、本発明の第２の実施の形態における誘導加熱調理器のタイミングチャートを示すものである。構成は実施の形態１と同じであるので説明は省略する。
【００２８】
以上のように構成された誘導加熱調理器について、以下その動作、作用を説明する。
【００２９】
図２（ａ）、（ｂ）、（ｃ）において、電源スイッチ１０を閉とし、操作手段８によりなされた加熱動作の開始をＡとし、加熱動作の終了をＢとする。また、操作手段８の操作によりカウントアップタイマ９を開始し、カウントアップが上限値へ到達した場合をそれぞれＣ、Ｄ、Ｅとする。
【００３０】
図２（ａ）のタイミングチャートについて、上から追って説明を行う。
【００３１】
電源スイッチ１０が閉とし、その後使用者がカウントアップタイマ９を入とし、加熱を入とする前にカウントアップタイマ９を切とした場合、加熱が入から切となった最終動作から第１所定時間後に電源リレー５が開となり、その時点から第３所定時間経過後に電源回路スイッチを開とする。
【００３２】
電源スイッチ１０が閉とし、その後使用者がカウントアップタイマ９を入とし、続いて加熱を入として調理を始めてから、カウントアップタイマ９を切とした場合、使用者が加熱を切とした状態を最終動作とすることで、第１所定時間経過後に電源リレー５が開となり、その時点から第３所定時間後に電源回路スイッチ１１を開とする。
【００３３】
電源スイッチ１０を閉とし、その後使用者がカウントアップタイマ９を入りとし、続いて加熱を入として調理を始め、調理が終了したら加熱を切とし、カウントアップタイマ９を上限値まで動作させた場合、カウントアップタイマ９が上限値へ到達すると、その時点から第２所定時間経過後に電源リレー５を開とし、その時点からさらに第３所定時間経過後に電源回路スイッチ１１を開とする。
【００３４】
以後の図２（ｂ）、（ｃ）は、カウントアップタイマ９を加熱動作中に入とする場合と、加熱動作が終了した後に入とする場合とで分けられるが、第１所定時間と第２所定時間と第３所定時間とカウントアップタイマ９の上限値到達時間の扱いは図２（ａ）と同様であるため説明は省略する。
【００３５】
以上のように、第１所定時間と第２所定時間と第３所定時間とカウントアップタイマ９に上限値を設けることで、交流電源６から制御手段４への電源供給を素早く遮断することで電源回路１３の消費電力の低減を実現することができる。
【００３６】
（実施の形態３）
図３（ａ）は、本発明の第３の実施の形態における誘導加熱調理器の構成を示し、図３（ｂ）はタイミングチャートを示すものである。なお、本実施の形態のブロック図は図１と同じ構成であるので説明は省略する。
【００３７】
図３（ｂ）において、電源スイッチ１０を閉とし、操作手段８により加熱動作の開始をＡとし、加熱動作の終了をＢとする。
【００３８】
図３（ａ）において、操作手段８は、カウントアップタイマ９の操作部（図示せず）を含み、機器前面に傾斜させて出没可能な構成としている。
【００３９】
加熱動作が切、かつ、カウントアップタイマ９が動作中の場合に、操作手段８を閉じると、操作手段８の出没を検知する開閉検知手段（図示せず、例えば近接スイッチで構成）が動作し操作手段８が閉じられてから第４所定時間経過後にカウントアップタイマ９の停止を行う機能を備える。
【００４０】
以上のように構成された誘導加熱調理器について、以下その動作、作用を説明する。
【００４１】
図３（ｂ）のタイミングチャートについて、上から追って説明を行う。
【００４２】
電源スイッチ１０が閉とし、その後使用者がカウントアップタイマ９を入とし、続いて加熱を入として調理の開始を行い、加熱を切とすることで調理を終了した後に、カウントアップタイマ９のカウントアップが動作している際に、操作手段８を閉（没）とした場合、その時点から第４所定時間経過後にカウントアップタイマ９を切とする。
【００４３】
電源スイッチ１０が閉とし、その後使用者が加熱を入として調理を開始した後に、カウントアップタイマ９を入としてカウントアップ動作を開始した後、カウントアップ動作中に加熱を切として、さらにその後に操作手段８を閉（没）とした場合、その時点から第４所定時間経過後にカウントアップタイマ９を切とする。
【００４４】
本実施の形態においては、加熱動作が切、かつ、カウントアップタイマ動作中において、操作手段８を閉じる（収納する）動作を行った場合に、閉じられてから第４所定時間経過後にカウントアップタイマ９を停止させることにより、操作手段が閉じられたことでカウントアップ機能を終了したと判断するものとなり、以後無駄な電力を消費しないで済むことができる。
【００４５】
（実施の形態４）
図４は、本発明の第４の実施の形態における誘導加熱調理器のタイミングチャートを示すものである。
【００４６】
カウントアップタイマ９が入とされると、第５所定時間経過後に表示手段７の表示ＬＥＤ（図示せず）に流れる電流値を減少させることにより、表示手段７の表示ＬＥＤの輝度を減少させることで、カウントアップ中の消費電力を削減することができる。
【００４７】
（実施の形態５）
図５は、本発明の第５の実施の形態における誘導加熱調理器のタイミングチャートを示すものである。
【００４８】
カウントアップタイマ９が入とされて、カウントアップが上限値まで到達した場合に、報知手段（図示せず、例えば、所定の音声を記憶しておき、再生してスピーカーに発声させる構成）により使用者に対して上限値へ達した旨を伝える音声報知機能を有することにより、誤動作によりカウントアップ機能が停止したのではないことを報知するので、使用者に故障等の不安や誤認を与えないようにすることができる。
【００４９】
なお、以上の実施の形態は誘導加熱調理器として説明を行ったが、加熱部が抵抗負荷であっても誘電負荷であっても同様の効果を得られることは言うまでもないことである。
【産業上の利用可能性】
【００５０】
以上のように、本発明にかかる加熱調理器は、カウントアップタイマ動作中においてもオートパワーオフ回路による電源リレーの開を禁止し、操作手段の操作受け付けを許可し、表示手段の表示を停止しないことで、使用者にとって、計時したい時間よりも先にオートパワーオフが働いて計時が停止する不具合を解消することができるので、家庭用あるいは業務用の加熱調理機器等の用途にも適用できる。
【符号の説明】
【００５１】
４  制御手段
５  電源リレー
６  交流電源
７  表示手段
８  操作手段
９  カウントアップタイマ
１０  電源スイッチ
１１  電源回路スイッチ
１２  オートパワーオフ回路
１３  電源回路
１６  加熱部
【図１】
2011012840.tif 000003
【図２ａ】
2011012840.tif 000004
【図２ｂ】
2011012840.tif 000005
【図２ｃ】
2011012840.tif 000006
【図３ａ】
2011012840.tif 000007
【図３ｂ】
2011012840.tif 000008
【図４】
2011012840.tif 000009
【図５】
2011012840.tif 000010